(57)【要約】      （修正有）【課題】飲料中のゲル（ゼリー）を、魚、花、鳥、動物、植物などの被模型体に模した形状の装飾体ゲルとし、飲料中に、例えば魚が泳いでいるような状態や花びらが浮いているような状態を醸し出すことによって、飲料商品を消費者の視覚に訴え、購買力を向上させる容器入り飲料を提供する。【解決手段】ゲル化剤を使用した原料において被模型体に模した形状に形成した装飾体ゲル２（２ｄ）を混入し浮遊分散してなる飲料１を、全部または一部が透明又は半透明で、開口が可能な蓋体５で密閉される容器３に容入してなることを特徴とする。【選択図】図１
0003131537.tif 000002
【実用新案登録請求の範囲】
【請求項１】
ゲル化剤を使用した原料において被模型体に模した形状に形成した又はこれに着色した装飾体ゲルを混入し浮遊分散してなる飲料を、全部または一部が透明又は半透明で、開口が開可能な蓋体で密閉される容器に容入してなることを特徴とする容器入り飲料。
【請求項２】
前記容器は、びんまたはＰＥＴボトルであることを特徴とする請求項１記載の容器入り飲料。
【考案の詳細な説明】
【技術分野】
【０００１】
この考案は、ゲル入り飲料を容器に容入した容器入り飲料に関し、特に、容入された飲料の味覚性も良く、視覚的に趣向に富んだ装飾体ゲルを混入した容器入り飲料に関する。
【背景技術】
【０００２】
従来、飲料にゲル（ゼリー）を混入したゲル入り飲料は知られている。例えば、粒状ゼリーを混入した飲料は、特許文献１および２に示され、細断した寒天ゲルを加え、ｐＨを調整した寒天ゲル入り飲料は、特許文献３に示されている。
また、寒天ゲルなどの粒状ゼリーは、飲料より比重が大きいためか、保存中に容器の底に沈降し、飲むときは飲料が主となり粒状ゼリーが残ってしまう課題があるため、飲む際にいちいち容器を振って粒状ゼリーを浮遊分散して飲まなければならなかった。そこで、保存しておいても飲料中の粒状ゼリーが沈降しないゲル入り飲料として、気泡を含ませた寒天ゲルを加えたゲル入り飲料（例えば、特許文献４参照）、気泡を包含した寒天ゼリーの小片を内包する寒天ゼリーを加えたゲル入り飲料（例えば、特許文献５参照）、２種類以上の増粘多糖類と多価金属塩の反応によって得られる粒状または細片状のゲルが網目構造を備え、この網目構造中に炭酸飲料の一部を包含するゲル入り炭酸飲料（例えば、特許文献６参照）およびアルギン酸ナトリウムを含む水溶液中に炭酸カルシウムを分散させ、この分散液と有機酸含有飲料とを接触させ、炭酸ガス包泡を封入したアルギン酸カルシウムゲルを形成し、このゲルを混入してなるゲル入り飲料（特許文献７参照）、等が提案されている。
【０００３】
また、飲食品原料液に、エステル化度１０％以下のＬＭペクチンを主成分とするゲル化剤を含むゼリー液を投入して、飲食品原料液中でゼリー液をゲル化させゼリー小体を分散形成したゼリー含有飲食品（例えば、特許文献８参照）、さらに、ジェランガム、キサンタンガム、ローカストビーンガム、乳酸カルシウムを主成分とするゲルの調合比率を調整して形成した耐熱軟質ゼリー入り飲料（例えば、特許文献９参照）、等も提案されている。
【特許文献１】特許第３５７１３２９号公報
【特許文献２】特開２００４−１２６号公報
【特許文献３】特開昭５３−２６３５７号公報
【特許文献４】実開昭５４−１５４３８５号公報
【特許文献５】実開昭５６−１２９９３号公報
【特許文献６】特開平９−１０３２７１号公報
【特許文献７】特開平６−１４７５０号公報
【特許文献８】特開平７−３１３８７号公報
【特許文献９】特開平７−３２２８６７号公報
【考案の開示】
【考案が解決しようとする課題】
【０００４】
従来のゲル入り飲料のゲルは、食料と共に喫食する目的のものであって、魚、花、鳥、動物、植物などの被模型体に模した形状とすることによって、視覚に訴えて購買力を向上させるものではなかった。せいぜい粒状ゼリーの球形の型をよくする程度でしかなかった。
【０００５】
例えば、特許文献１の粒状ゼリーは、固化溶液中において噴射ノズルからゼリー溶液を、撹拌機の方向に噴射することにより固化溶液に噴射されて帯状に固化した紐状ゼリーを、撹拌機によるせん断力によってせん断して所定サイズの粒状ゼリーに形成されたものであり、
特許文献２は、飲料溶液中にゼリー液を添加することにより、直接飲料中にゼリーを形成するものであり、
特許文献３は、寒天ゲルを細切して飲料中に混入したものであり、特許文献４も寒天ゲルをさいの目に切って使用するものであり、また、特許文献５および６もゲルを細断するものであり、
特許文献７は、分散液をノズルを介し有機酸含有飲料中に落下または噴出し、球状または紐状のゲル体を得るものであり、
特許文献８は、エステル化度１０％以下のＬＭペクチンを主成分とするゲル化剤が添加されたゼリー液を、飲食品の原料液中に投入することにより、飲食品原料液中でゼリー液をゲル化させてゼリー小体を分散形成させるものであり、
特許文献９は、ジェランガム、キサンタンガム、ローカストビーンガム、乳酸カルシウムを主成分とするゲルを保形可能の極限まで柔らかくした状態に固めた後、破砕して耐熱軟質ゼリーを形成する、ものである。
以上の通り、従来のゲル入り飲料中のゲル（ゼリー）の形成方法からして、飲料中のゲルの形状を、被模型体に模した形状にすることは不可能であり、いずれもこのような技術は、開示も示唆もない。
【０００６】
この考案は、このような点に鑑み飲料中のゲル（ゼリー）を、魚、花、鳥、動物、植物などの被模型体に模した形状の装飾体ゲルとし、飲料中に、例えば魚が泳いでいるような状態や花びらが浮いているような状態を醸し出すことによって、飲料商品を消費者の視覚に訴え、購買力を向上させる容器入り飲料を提供せんとするものである。
【課題を解決するための手段】
【０００７】
前記課題を解決するため、この考案の容器入り飲料は、ゲル化剤を使用した原料において被模型体に模した形状に形成した又はこれに着色した装飾体ゲルを混入し浮遊分散してなる飲料を、全部または一部が透明又は半透明で、開口が開可能な蓋体で密閉される容器に容入してなることを特徴とする。
前記容器としては、びんまたはＰＥＴボトルが好ましい。
【０００８】
これにより飲料中には、被模型体に模した形状に形成した又はこれに着色した装飾体ゲルが浮遊分散してなるので、その美感を視覚に訴えることができる。それにより消費者は購入意欲にかられ売れ行きが向上することになる。
従って、飲料を容入する容器は、外部より容器の容入物（飲料、装飾体ゲル）が可視できることが必要であり、そのために容器は、全部または１部が透明又は半透明のものであり、特に、容器としては、びんまたはＰＥＴボトルが、飲料中に浮遊分散する装飾体ゲルの浮遊状態や醸し出す雰囲気を特に強調して訴えることができるので好ましい。
【０００９】
この考案で使用するゲル化剤は、特に制限はなく、従来公知のものを採用し得る。例えば、寒天、ペクチン、アルギン酸塩、ゼラチン、乳酸カルシウム、クエン酸ナトリウム、増粘多糖類（例えば、カラーギナン、ジェランガム、キサンタンガム、ローカストビーンガムなど）を例示することができる。これらのゲル化剤は、１種だけでなく、２種以上を複合して使用しても良い。また、ゲル化剤溶液（ゼリー溶液）には、必要に応じて、色素、果汁、ピュール、香料、糖類、甘味料、酸味料、保存料、調味料、エキス、アルコール、ビタミン、ｐＨ調整剤、その他ミネラル類、等を任意に添加しても良く、特に、被模型体に模した形状の装飾体ゲルとするためには、色素の添加は、重要となる。
また、装飾体ゲルは、一例として被模型体に模した形状の「型」を作成し、これにゲル化剤溶液（ゼリー溶液）を流し込み、冷却固化または加熱固化することによって形成する方法を挙げることができる。なお、このようにして形成された装飾体ゲルに、装飾、印刷等の加工を施すことは自由である。これにより装飾体ゲルを被模型体により近似させることができる。
【００１０】
また、この考案の被模型体としては、魚、鳥、花、等を好ましい例として挙げることができるが、他の植物、動物、のりもの、建造物、キャラクター等も含まれる。特に、装飾体ゲルは、飲料中に浮遊分散させるものであるので、飲料に特に適合するものが好ましく、飲料を飲むのに不快感を催すような被模型体を模したものは避けるべきである。また、観光地においては、その土地の有名なものを被模型体とする装飾体ゲルとすることによって、お土産とすることもできる。特に、動物園においては、その動物園で有名な動物を被模型体とする装飾体ゲルとして飲料中に浮遊分散する容器入り飲料とすることで、その動物園のお土産として喜ばれるし、また、水族館では、その水族館で有名な魚を被模型体とする装飾体ゲルとして飲料中に浮遊分散することで、その水族館のお土産となる。当然に、お土産だけでなく、その場で飲食しても良いことは当然である。なお、ここでの装飾体ゲルは、有名のものに限定する意味ではない。
【００１１】
また、この考案の飲料としては、特に制限はなく、従来公知のものでよい。代表例として、フルーツ果汁（例えば、ジュース）、炭酸飲料（例えば、サイダー）、乳酸飲料（例えば、カルピス（商標名：商品名））、リキュール類、コーヒー飲料、お茶飲料、等を示すことができる。
【考案の効果】
【００１２】
この考案の容器入り飲料によれば、全部または１部が透明又は半透明で、開口が開可能な蓋体で密閉される容器（例えば、びん、ＰＥＴボトル）に容入された飲料には、ゲル化剤を使用した原料において被模型体に模した形状に形成した装飾体ゲルを浮遊分散してなるので、次のような効果を奏する。
（１）装飾体ゲルは、被模型体に模した形状、又はこれに着色した形状となっているので、飲料中で装飾体ゲルが浮遊分散して被模型体の持つイメージ、情景、美感を醸し出すことにより、消費者には、視覚に訴えることができる。従って、ゲルが入っていることにより飲んでみたいとの誘惑にかられるばかりでなく、視覚に訴える効果により消費者は購入意欲をそそられることになる。要するに、消費者には、飲料を飲む、ゲルを食する、見て楽しい、という飲料となる。これにより容器入り飲料の購買力は向上することになる。
【００１３】
（２）観光地においては、その土地の有名なものを被模型体とする装飾体ゲルとして飲料中に浮遊分散することで、動物園においては、その動物園で有名な動物を被模型体とする装飾体ゲルとして飲料中に浮遊分散することで、水族館においては、その水族館で有名な魚を被模型体とする装飾体ゲルとして飲料中に浮遊分散することで、また、遊園地においては、その遊園地に存在する特徴的なものを被模型体とする装飾体ゲルとして飲料中に分散することで、それぞれその場所の特徴が出せるので、お土産品として好適となる。
【考案を実施するための最良の形態】
【００１４】
以下、この考案の実施の形態を図面と共に詳細に説明する。図１は、この考案の実施の形態を示す斜視図、図２は、装飾体ゲルを例示（ａ）（ｂ）（ｃ）（ｄ）（ｅ）（ｆ）（ｇ）した正面図である。
同図において、容器３には、ゲル化剤を使用した原料において被模型体に模した形状に形成した装飾体ゲル２を混入し浮遊分散してなる飲料１が容入されている。容器３として本例では透明なびん（ラムネ用びん）を示している。このびん３の開口４は球状の蓋体５で開可能に密閉されている。飲料１として本例では、透明な炭酸飲料を使用している。
【００１５】
容器３として本例では透明なびんを示しているが、これは全部または１部が透明又は半透明の他の容器であってもよい。特に、容器としては、飲料を容入すること、及び飲料中に浮遊分散する装飾体ゲル２の浮遊状態や醸し出す雰囲気、情景、美感を訴える効果を強調できること、等において全部または１部が透明又は半透明のびんまたはＰＥＴボトルが好ましい。びんまたはＰＥＴボトルにおいて、その１部だけを「のぞき窓」的に中が透視できるようにして趣向をこらしてもよい。この場合の「のぞき窓」の形状も任意である。
【００１６】
また、飲料１として本例では透明な炭酸飲料を例示したが、これは他の従来公知のものを使用し得る。例えば、ジュース等のフルーツ果汁および果汁入り飲料、カルピス（商標名：商品名）等の乳酸飲料、リキュール類、コーヒー飲料、茶飲料、等を挙げることができる。
飲料としては、水、糖類、果汁、ピューレ、甘味料、香料、色素、調味料、酸味料、保存料、エキス、アルコール、ビタミン、ｐＨ調整剤、糊料、その他ミネラル類、等を組み合わせや加工して製造できるものでよく、特に制限はない。
【００１７】
装飾体ゲル２の被模型体としては、犬、魚、鳥、花、等の動物、植物、のりもの、建造物、キャラクタ等を挙げることができる。図２は、被模型体を模して形成した装飾体ゲル２を例示したものであり、（ａ）は被模型体として「花びら」を模して形成した装飾体ゲル２ａ、（ｂ）は被模型体として「雪の結晶」を模して形成した装飾体ゲル２ｂ、（ｃ）は被模型体として「魚」を模して形成した装飾体ゲル２ｃ、（ｄ）は被模型体として「クリオネ」を模して形成した装飾体ゲル２ｄ、（ｅ）は被模型体として「白くま」を模して形成した装飾体ゲル２ｅ、（ｆ）は被模型体として「アザラシ」を模して形成した装飾体ゲル２ｆ、（ｇ）は被模型体として「ラッコ」を模して形成した装飾体ゲル２ｇ、をそれぞれ示している。図１に示す実施の形態では、装飾体ゲル２として「クリオネ」の装飾体ゲル２ｄの場合を示している。
【００１８】
また、装飾体ゲル２を形成するのに使用するゲル化剤は、特に制限はなく、従来公知のものを採用し得る。例えば、寒天、ペクチン、アルギン酸塩、ゼラチン、乳酸カルシウム、クエン酸ナトリウム、増粘多糖類（例えば、カラーギナン、ジェランガム、キサンタンガム、ローカストビーンガムなど）を例示することができる。これらのゲル化剤は、常法により溶液とし固化液中で固化させたり、冷却固化または加熱固化して装飾体ゲルとする。ゲル化剤は、１種だけでなく、２種以上を複合して使用しても良い。また、ゲル化剤溶液（ゼリー溶液）には、必要に応じて、色素、果汁、ピュール、香料、糖類、甘味料、酸味料、保存料、調味料、エキス、アルコール、ビタミン、ｐＨ調整剤、その他ミネラル類、等を任意に添加しても良く、例えば、被模型体に模した形状の装飾体ゲルとするためには、色素の添加は、重要となる。
【００１９】
装飾体ゲル２は、ゲル化剤を使用して常法により製造することができる。例えば、装飾体ゲル２は、被模型体に模した形状の「型」を作成し、これにゲル化剤溶液（ゼリー溶液）を流し込み、冷却固化または加熱固化することによって製造できる。この時、被模型体により近く模した形状とするために、色素の添加によって色彩の異なる複数のゲル化剤溶液を用意して使用しても良く、また、型より取り出した後に、色付け、印刷、装飾等を施してもよい。
なお、この考案で、被模型体に模した「形状」というのは、形状だけでなく、色彩、模様等も含む概念である。
【００２０】
しかして、この実施の形態の容器入り飲料によれば、図１に示すように容器３中の飲料１に「クリオネ」に模した装飾体ゲル２（２ｄ）が浮遊分散し、飲料１が透明な炭酸飲料であるために、あたかも海中にクリオネが浮遊しているような情景を醸し出している。従って、消費者は、これを見ることによって楽しい思いにさせられる。
この実施の形態から装飾体ゲルが模す被模型体によって、その醸し出す情景、美感も、それに対応したものとなることが理解できる。
【００２１】
前記実施の形態は、この考案を制限するものではなく、この考案は、要旨を逸脱しない範囲内において、種々の変形が許容される。
【図面の簡単な説明】
【００２２】
【図１】この考案の実施の形態を示す斜視図である。
【図２】装飾体ゲルを例示（ａ）（ｂ）（ｃ）（ｄ）（ｅ）（ｆ）（ｇ）した正面図である。
【符号の説明】
【００２３】
１  飲料
２（２ａ、２ｂ、２ｃ、２ｄ、２ｅ、２ｆ、２ｇ）  装飾体ゲル
３  容器（びん）
４  開口
５  蓋体
【図１】
0003131537.tif 000003
【図２】
0003131537.tif 000004
【手続補正書】
【提出日】平成19年2月27日(2007.2.27)
【手続補正１】
【補正対象書類名】実用新案登録請求の範囲
【補正対象項目名】全文
【補正方法】変更
【補正の内容】
【実用新案登録請求の範囲】
【請求項１】
ゲル化剤を使用した原料において被模型体に模した形状に形成した又はこれに着色した装飾体ゲルを混入し浮遊分散してなる飲料を、全部または一部が透明又は半透明で、開口が開可能な蓋体で密閉される容器に容入してなることを特徴とする飲料入り容器。
【請求項２】
前記容器は、びんまたはＰＥＴボトルであることを特徴とする請求項１記載の飲料入り容器。
【手続補正２】
【補正対象書類名】明細書
【補正対象項目名】全文
【補正方法】変更
【補正の内容】
【考案の詳細な説明】
【技術分野】
【０００１】
この考案は、ゲル入り飲料を容器に容入した飲料入り容器に関し、特に、容入された飲料の味覚性も良く、視覚的に趣向に富んだ装飾体ゲルを混入した飲料入り容器に関する。
【背景技術】
【０００２】
従来、飲料にゲル（ゼリー）を混入したゲル入り飲料は知られている。例えば、粒状ゼリーを混入した飲料は、特許文献１および２に示され、細断した寒天ゲルを加え、ｐＨを調整した寒天ゲル入り飲料は、特許文献３に示されている。
また、寒天ゲルなどの粒状ゼリーは、飲料より比重が大きいためか、保存中に容器の底に沈降し、飲むときは飲料が主となり粒状ゼリーが残ってしまう課題があるため、飲む際にいちいち容器を振って粒状ゼリーを浮遊分散して飲まなければならなかった。そこで、保存しておいても飲料中の粒状ゼリーが沈降しないゲル入り飲料として、気泡を含ませた寒天ゲルを加えたゲル入り飲料（例えば、特許文献４参照）、気泡を包含した寒天ゼリーの小片を内包する寒天ゼリーを加えたゲル入り飲料（例えば、特許文献５参照）、２種類以上の増粘多糖類と多価金属塩の反応によって得られる粒状または細片状のゲルが網目構造を備え、この網目構造中に炭酸飲料の一部を包含するゲル入り炭酸飲料（例えば、特許文献６参照）およびアルギン酸ナトリウムを含む水溶液中に炭酸カルシウムを分散させ、この分散液と有機酸含有飲料とを接触させ、炭酸ガス包泡を封入したアルギン酸カルシウムゲルを形成し、このゲルを混入してなるゲル入り飲料（特許文献７参照）、等が提案されている。
【０００３】
また、飲食品原料液に、エステル化度１０％以下のＬＭペクチンを主成分とするゲル化剤を含むゼリー液を投入して、飲食品原料液中でゼリー液をゲル化させゼリー小体を分散形成したゼリー含有飲食品（例えば、特許文献８参照）、さらに、ジェランガム、キサンタンガム、ローカストビーンガム、乳酸カルシウムを主成分とするゲルの調合比率を調整して形成した耐熱軟質ゼリー入り飲料（例えば、特許文献９参照）、等も提案されている。
【特許文献１】特許第３５７１３２９号公報
【特許文献２】特開２００４−１２６号公報
【特許文献３】特開昭５３−２６３５７号公報
【特許文献４】実開昭５４−１５４３８５号公報
【特許文献５】実開昭５６−１２９９３号公報
【特許文献６】特開平９−１０３２７１号公報
【特許文献７】特開平６−１４７５０号公報
【特許文献８】特開平７−３１３８７号公報
【特許文献９】特開平７−３２２８６７号公報
【考案の開示】
【考案が解決しようとする課題】
【０００４】
従来のゲル入り飲料のゲルは、食料と共に喫食する目的のものであって、魚、花、鳥、動物、植物などの被模型体に模した形状とすることによって、視覚に訴えて購買力を向上させるものではなかった。せいぜい粒状ゼリーの球形の型をよくする程度でしかなかった。
【０００５】
例えば、特許文献１の粒状ゼリーは、固化溶液中において噴射ノズルからゼリー溶液を、撹拌機の方向に噴射することにより固化溶液に噴射されて帯状に固化した紐状ゼリーを、撹拌機によるせん断力によってせん断して所定サイズの粒状ゼリーに形成されたものであり、
特許文献２は、飲料溶液中にゼリー液を添加することにより、直接飲料中にゼリーを形成するものであり、
特許文献３は、寒天ゲルを細切して飲料中に混入したものであり、特許文献４も寒天ゲルをさいの目に切って使用するものであり、また、特許文献５および６もゲルを細断するものであり、
特許文献７は、分散液をノズルを介し有機酸含有飲料中に落下または噴出し、球状または紐状のゲル体を得るものであり、
特許文献８は、エステル化度１０％以下のＬＭペクチンを主成分とするゲル化剤が添加されたゼリー液を、飲食品の原料液中に投入することにより、飲食品原料液中でゼリー液をゲル化させてゼリー小体を分散形成させるものであり、
特許文献９は、ジェランガム、キサンタンガム、ローカストビーンガム、乳酸カルシウムを主成分とするゲルを保形可能の極限まで柔らかくした状態に固めた後、破砕して耐熱軟質ゼリーを形成する、ものである。
以上の通り、従来のゲル入り飲料中のゲル（ゼリー）の形成方法からして、飲料中のゲルの形状を、被模型体に模した形状にすることは不可能であり、いずれもこのような技術は、開示も示唆もない。
【０００６】
この考案は、このような点に鑑み飲料中のゲル（ゼリー）を、魚、花、鳥、動物、植物などの被模型体に模した形状の装飾体ゲルとし、飲料中に、例えば魚が泳いでいるような状態や花びらが浮いているような状態を醸し出すことによって、飲料商品を消費者の視覚に訴え、購買力を向上させる飲料入り容器を提供せんとするものである。
【課題を解決するための手段】
【０００７】
前記課題を解決するため、この考案の飲料入り容器は、ゲル化剤を使用した原料において被模型体に模した形状に形成した又はこれに着色した装飾体ゲルを混入し浮遊分散してなる飲料を、全部または一部が透明又は半透明で、開口が開可能な蓋体で密閉される容器に容入してなることを特徴とする。
前記容器としては、びんまたはＰＥＴボトルが好ましい。
【０００８】
これにより飲料中には、被模型体に模した形状に形成した又はこれに着色した装飾体ゲルが浮遊分散してなるので、その美感を視覚に訴えることができる。それにより消費者は購入意欲にかられ売れ行きが向上することになる。
従って、飲料を容入する容器は、外部より容器の容入物（飲料、装飾体ゲル）が可視できることが必要であり、そのために容器は、全部または１部が透明又は半透明のものであり、特に、容器としては、びんまたはＰＥＴボトルが、飲料中に浮遊分散する装飾体ゲルの浮遊状態や醸し出す雰囲気を特に強調して訴えることができるので好ましい。
【０００９】
この考案で使用するゲル化剤は、特に制限はなく、従来公知のものを採用し得る。例えば、寒天、ペクチン、アルギン酸塩、ゼラチン、乳酸カルシウム、クエン酸ナトリウム、増粘多糖類（例えば、カラーギナン、ジェランガム、キサンタンガム、ローカストビーンガムなど）を例示することができる。これらのゲル化剤は、１種だけでなく、２種以上を複合して使用しても良い。また、ゲル化剤溶液（ゼリー溶液）には、必要に応じて、色素、果汁、ピュール、香料、糖類、甘味料、酸味料、保存料、調味料、エキス、アルコール、ビタミン、ｐＨ調整剤、その他ミネラル類、等を任意に添加しても良く、特に、被模型体に模した形状の装飾体ゲルとするためには、色素の添加は、重要となる。
また、装飾体ゲルは、一例として被模型体に模した形状の「型」を作成し、これにゲル化剤溶液（ゼリー溶液）を流し込み、冷却固化または加熱固化することによって形成する方法を挙げることができる。なお、このようにして形成された装飾体ゲルに、装飾、印刷等の加工を施すことは自由である。これにより装飾体ゲルを被模型体により近似させることができる。
【００１０】
また、この考案の被模型体としては、魚、鳥、花、等を好ましい例として挙げることができるが、他の植物、動物、のりもの、建造物、キャラクター等も含まれる。特に、装飾体ゲルは、飲料中に浮遊分散させるものであるので、飲料に特に適合するものが好ましく、飲料を飲むのに不快感を催すような被模型体を模したものは避けるべきである。また、観光地においては、その土地の有名なものを被模型体とする装飾体ゲルとすることによって、お土産とすることもできる。特に、動物園においては、その動物園で有名な動物を被模型体とする装飾体ゲルとして飲料中に浮遊分散する飲料入り容器とすることで、その動物園のお土産として喜ばれるし、また、水族館では、その水族館で有名な魚を被模型体とする装飾体ゲルとして飲料中に浮遊分散することで、その水族館のお土産となる。当然に、お土産だけでなく、その場で飲食しても良いことは当然である。なお、ここでの装飾体ゲルは、有名のものに限定する意味ではない。
【００１１】
また、この考案の飲料としては、特に制限はなく、従来公知のものでよい。代表例として、フルーツ果汁（例えば、ジュース）、炭酸飲料（例えば、サイダー）、乳酸飲料（例えば、カルピス（商標名：商品名））、リキュール類、コーヒー飲料、お茶飲料、等を示すことができる。
【考案の効果】
【００１２】
この考案の飲料入り容器によれば、全部または１部が透明又は半透明で、開口が開可能な蓋体で密閉される容器（例えば、びん、ＰＥＴボトル）に容入された飲料には、ゲル化剤を使用した原料において被模型体に模した形状に形成した装飾体ゲルを浮遊分散してなるので、次のような効果を奏する。
（１）装飾体ゲルは、被模型体に模した形状、又はこれに着色した形状となっているので、飲料中で装飾体ゲルが浮遊分散して被模型体の持つイメージ、情景、美感を醸し出すことにより、消費者には、視覚に訴えることができる。従って、ゲルが入っていることにより飲んでみたいとの誘惑にかられるばかりでなく、視覚に訴える効果により消費者は購入意欲をそそられることになる。要するに、消費者には、飲料を飲む、ゲルを食する、見て楽しい、という飲料となる。これにより飲料入り容器の購買力は向上することになる。
【００１３】
（２）観光地においては、その土地の有名なものを被模型体とする装飾体ゲルとして飲料中に浮遊分散することで、動物園においては、その動物園で有名な動物を被模型体とする装飾体ゲルとして飲料中に浮遊分散することで、水族館においては、その水族館で有名な魚を被模型体とする装飾体ゲルとして飲料中に浮遊分散することで、また、遊園地においては、その遊園地に存在する特徴的なものを被模型体とする装飾体ゲルとして飲料中に分散することで、それぞれその場所の特徴が出せるので、お土産品として好適となる。
【考案を実施するための最良の形態】
【００１４】
以下、この考案の実施の形態を図面と共に詳細に説明する。図１は、この考案の実施の形態を示す斜視図、図２は、装飾体ゲルを例示（ａ）（ｂ）（ｃ）（ｄ）（ｅ）（ｆ）（ｇ）した正面図である。
同図において、容器３には、ゲル化剤を使用した原料において被模型体に模した形状に形成した装飾体ゲル２を混入し浮遊分散してなる飲料１が容入されている。容器３として本例では透明なびん（ラムネ用びん）を示している。このびん３の開口４は球状の蓋体５で開可能に密閉されている。飲料１として本例では、透明な炭酸飲料を使用している。
【００１５】
容器３として本例では透明なびんを示しているが、これは全部または１部が透明又は半透明の他の容器であってもよい。特に、容器としては、飲料を容入すること、及び飲料中に浮遊分散する装飾体ゲル２の浮遊状態や醸し出す雰囲気、情景、美感を訴える効果を強調できること、等において全部または１部が透明又は半透明のびんまたはＰＥＴボトルが好ましい。びんまたはＰＥＴボトルにおいて、その１部だけを「のぞき窓」的に中が透視できるようにして趣向をこらしてもよい。この場合の「のぞき窓」の形状も任意である。
【００１６】
また、飲料１として本例では透明な炭酸飲料を例示したが、これは他の従来公知のものを使用し得る。例えば、ジュース等のフルーツ果汁および果汁入り飲料、カルピス（商標名：商品名）等の乳酸飲料、リキュール類、コーヒー飲料、茶飲料、等を挙げることができる。
飲料としては、水、糖類、果汁、ピューレ、甘味料、香料、色素、調味料、酸味料、保存料、エキス、アルコール、ビタミン、ｐＨ調整剤、糊料、その他ミネラル類、等を組み合わせや加工して製造できるものでよく、特に制限はない。
【００１７】
装飾体ゲル２の被模型体としては、犬、魚、鳥、花、等の動物、植物、のりもの、建造物、キャラクタ等を挙げることができる。図２は、被模型体を模して形成した装飾体ゲル２を例示したものであり、（ａ）は被模型体として「花びら」を模して形成した装飾体ゲル２ａ、（ｂ）は被模型体として「雪の結晶」を模して形成した装飾体ゲル２ｂ、（ｃ）は被模型体として「魚」を模して形成した装飾体ゲル２ｃ、（ｄ）は被模型体として「クリオネ」を模して形成した装飾体ゲル２ｄ、（ｅ）は被模型体として「白くま」を模して形成した装飾体ゲル２ｅ、（ｆ）は被模型体として「アザラシ」を模して形成した装飾体ゲル２ｆ、（ｇ）は被模型体として「ラッコ」を模して形成した装飾体ゲル２ｇ、をそれぞれ示している。図１に示す実施の形態では、装飾体ゲル２として「クリオネ」の装飾体ゲル２ｄの場合を示している。
【００１８】
また、装飾体ゲル２を形成するのに使用するゲル化剤は、特に制限はなく、従来公知のものを採用し得る。例えば、寒天、ペクチン、アルギン酸塩、ゼラチン、乳酸カルシウム、クエン酸ナトリウム、増粘多糖類（例えば、カラーギナン、ジェランガム、キサンタンガム、ローカストビーンガムなど）を例示することができる。これらのゲル化剤は、常法により溶液とし固化液中で固化させたり、冷却固化または加熱固化して装飾体ゲルとする。ゲル化剤は、１種だけでなく、２種以上を複合して使用しても良い。また、ゲル化剤溶液（ゼリー溶液）には、必要に応じて、色素、果汁、ピュール、香料、糖類、甘味料、酸味料、保存料、調味料、エキス、アルコール、ビタミン、ｐＨ調整剤、その他ミネラル類、等を任意に添加しても良く、例えば、被模型体に模した形状の装飾体ゲルとするためには、色素の添加は、重要となる。
【００１９】
装飾体ゲル２は、ゲル化剤を使用して常法により製造することができる。例えば、装飾体ゲル２は、被模型体に模した形状の「型」を作成し、これにゲル化剤溶液（ゼリー溶液）を流し込み、冷却固化または加熱固化することによって製造できる。この時、被模型体により近く模した形状とするために、色素の添加によって色彩の異なる複数のゲル化剤溶液を用意して使用しても良く、また、型より取り出した後に、色付け、印刷、装飾等を施してもよい。
なお、この考案で、被模型体に模した「形状」というのは、形状だけでなく、色彩、模様等も含む概念である。
【００２０】
しかして、この実施の形態の飲料入り容器によれば、図１に示すように容器３中の飲料１に「クリオネ」に模した装飾体ゲル２（２ｄ）が浮遊分散し、飲料１が透明な炭酸飲料であるために、あたかも海中にクリオネが浮遊しているような情景を醸し出している。従って、消費者は、これを見ることによって楽しい思いにさせられる。
この実施の形態から装飾体ゲルが模す被模型体によって、その醸し出す情景、美感も、それに対応したものとなることが理解できる。
【００２１】
前記実施の形態は、この考案を制限するものではなく、この考案は、要旨を逸脱しない範囲内において、種々の変形が許容される。
【図面の簡単な説明】
【００２２】
【図１】この考案の実施の形態を示す斜視図である。
【図２】装飾体ゲルを例示（ａ）（ｂ）（ｃ）（ｄ）（ｅ）（ｆ）（ｇ）した正面図である。
【符号の説明】
【００２３】
１  飲料
２（２ａ、２ｂ、２ｃ、２ｄ、２ｅ、２ｆ、２ｇ）  装飾体ゲル
３  容器（びん）
４  開口
５  蓋体